(57)【特許請求の範囲】
【請求項１】
タグ基材と、
このタグ基材に装備するとともにＩＣチップおよびＲＦＩＤアンテナを有して無線によるデータ通信が可能なＲＦＩＤインレットと、を有するＲＦＩＤタグであって、
前記タグ基材は、
当該ＲＦＩＤタグを取り付ける物品に当接する下端縁を有するバンド取付け領域と、
前記ＲＦＩＤインレットを備えるとともに、このバンド取付け領域の前記下端縁から遠ざかる方向に離間しているインレット保持領域と、にこれを画成し、
前記バンド取付け領域は、
所定の幅を有するバンド本体、このバンド本体の一方端部に形成したヘッド部およびこのバンド本体の他方端部に形成したテール部を有するとともに、このテール部を前記ヘッド部の貫通係合孔に挿通係合して当該ＲＦＩＤタグを前記物品に取り付け可能な結束バンドを挿通する一対の貫通孔を有し、
この一対の貫通孔は、
前記タグ基材の厚さ方向の第１の貫通孔と、この第１の貫通孔に横方向に並列して異なる位置に形成した前記タグ基材の厚さ方向の第２の貫通孔と、からなるとともに、これら第１の貫通孔および第２の貫通孔それぞれの長手方向が前記バンド本体の前記幅の方向に延び、さらに前記結束バンドの前記ヘッド部より小さくこれを形成し、かつ、
前記バンド取付け領域は、
前記一対の貫通孔の間に位置する中央折曲がり部を境にして折れ曲がり可能であることを特徴とするＲＦＩＤタグ。
【請求項２】
前記バンド取付け領域と前記インレット保持領域との間に、前記バンド取付け領域および前記インレット保持領域を接続する中間接続領域を設けるとともに、
この中間接続領域の両側端側には、前記バンド取付け領域と前記インレット保持領域との間に、前記バンド取付け領域と前記インレット保持領域とを互いに隔てる領域切欠き部を形成していることを特徴とする請求項１記載のＲＦＩＤタグ。
【請求項３】
前記一対の貫通孔に挿通した前記結束バンドの前記バンド本体の前記幅の方向と、前記インレット保持領域とは、互いにほぼ直交することを特徴とする請求項１または２記載のＲＦＩＤタグ。
【請求項４】
前記一対の貫通孔は、前記結束バンドの前記バンド本体を挿通した状態で前記バンド本体の前記幅の方向と前記インレット保持領域とがほぼ直交する前記インレット保持領域の取付け姿勢を実現し、この取付け姿勢を保持可能であることを特徴とする請求項１ないし３のいずれかに記載のＲＦＩＤタグ。
【請求項５】
前記一対の貫通孔の長手方向と、前記バンド取付け領域の前記下端縁とは、互いに平行であることを特徴とする請求項１ないし４のいずれかに記載のＲＦＩＤタグ。
【請求項６】
前記一対の貫通孔の長手方向は、前記バンド取付け領域の前記下端縁に対してこれをわずかに傾斜させて、この傾斜角度を選択することにより、前記インレット保持領域の前記物品に対する取付け姿勢を調整可能としていることを特徴とする請求項１ないし４のいずれかに記載のＲＦＩＤタグ。
【請求項７】
前記一対の貫通孔の間の貫通孔間隔、および前記一対の貫通孔のそれぞれの長さを選択することにより、前記インレット保持領域の前記物品に対する取付け姿勢を調整可能としていることを特徴とする請求項１ないし６のいずれかに記載のＲＦＩＤタグ。
【請求項８】
タグ基材と、
このタグ基材に装備するとともにＩＣチップおよびＲＦＩＤアンテナを有して無線によるデータ通信が可能なＲＦＩＤインレットと、を有するＲＦＩＤタグの取付け方法であって、
前記タグ基材は、
当該ＲＦＩＤタグを取り付ける物品に当接する下端縁を有するバンド取付け領域と、
前記ＲＦＩＤインレットを備えるとともに、このバンド取付け領域の前記下端縁から遠ざかる方向に離間しているインレット保持領域と、にこれを画成してあり、
前記バンド取付け領域は、
所定の幅を有するバンド本体、このバンド本体の一方端部に形成したヘッド部およびこのバンド本体の他方端部に形成したテール部を有するとともに、このテール部を前記ヘッド部の貫通係合孔に挿通係合して当該ＲＦＩＤタグを前記物品に取り付け可能な結束バンドを挿通する一対の貫通孔を有し、
この一対の貫通孔は、
前記タグ基材の厚さ方向の第１の貫通孔と、この第１の貫通孔に横方向に並列して異なる位置に形成した前記タグ基材の厚さ方向の第２の貫通孔と、からなるとともに、これら第１の貫通孔および第２の貫通孔それぞれの長手方向が前記バンド本体の前記幅の方向に延び、さらに前記結束バンドの前記ヘッド部より小さくこれを形成してあり、
前記結束バンドをその前記テール部から前記バンド取付け領域の前記第１の貫通孔および前記第２の貫通孔に挿通した状態で、前記バンド本体を前記物品に掛け回し、前記テール部を前記ヘッド部の前記貫通係合孔に挿通係合して、前記バンド本体により前記物品を締め付けるとともに、
前記一対の貫通孔の間に位置する中央折曲がり部を境にして前記バンド取付け領域を折り曲げて、前記物品に対する前記インレット保持領域の取付け姿勢を安定化させ、
前記インレット保持領域内の前記ＲＦＩＤインレットが前記物品から離反するように前記ＲＦＩＤタグを前記物品に取り付けることを特徴とするＲＦＩＤタグの取付け方法。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）タグおよびその取付け方法にかかるもので、とくに金属製品に取り付けるためのＲＦＩＤタグおよびその取付け方法に関するものである。
【背景技術】
【０００２】
従来から、ＩＣチップおよびＲＦＩＤアンテナを有して無線によりデータの書込みおよび読取りを行うことができるＲＦＩＤインレットを備えたＲＦＩＤタグを各種物品に取り付け、これら物品ついての各種データの読み書きを行って、必要なデータ管理など諸々の分野に利用している。
【０００３】
しかして、上記物品が金属製である場合には、上記ＲＦＩＤタグが物品に近接しすぎた状態で取り付けられると、データ通信に支障が生じやすいという問題がある。
この問題を解消するために、上記ＲＦＩＤインレットの保持部分を折曲げ部において折り曲げることにより他の部分から離反させ、金属表面から旗のように起立させるようにしたＲＦＩＤタグがある。
【０００４】
しかしながら、このようなＲＦＩＤタグは、紙製であるとともに、折曲げ部が固定されていないために安定性がなく、その起立状態が不安定で、ＲＦＩＤタグの取付け条件によってデータ通信性能に差が出てしまうとともに、長期間の使用および耐環境性に問題がある。
さらに、ＲＦＩＤタグを金属製品に取り付けるために両面テープなどを用いているために、両面テープで固定困難な凹凸の多い表面を有する製品の場合や、金属パイプやケーブルのような曲率が大きな管理対象物の場合には使用することができないという問題がある。また、棒やケーブルを束ねる用途にも適していない。
【先行技術文献】
【特許文献】
【０００５】
【特許文献１】特開２００７−１２２５４２号公報
【発明の概要】
【発明が解決しようとする課題】
【０００６】
本発明は以上のような諸問題にかんがみなされたもので、ＲＦＩＤタグを取り付ける物品が金属製であっても、データ通信に支障がないようにしたＲＦＩＤタグおよびその取付け方法を提供することを課題とする。
【０００７】
また本発明は、物品に対してＲＦＩＤインレットを起立離間した状態に安定して保持可能なＲＦＩＤタグおよびその取付け方法を提供することを課題とする。
【０００８】
また本発明は、長期間の使用にあたっても、ＲＦＩＤタグの起立状態を安定性良好に維持可能であるとともに耐環境性に優れたＲＦＩＤタグおよびその取付け方法を提供することを課題とする。
【０００９】
また本発明は、物品の表面に対してＲＦＩＤタグをほぼ直角に起立した状態で取り付けることができるＲＦＩＤタグおよびその取付け方法を提供することを課題とする。
【００１０】
また本発明は、金属パイプやケーブルなど従来のＲＦＩＤタグを取り付けにくい物品に対しても取付け姿勢を安定して取り付けることができるＲＦＩＤタグおよびその取付け方法を提供することを課題とする。
【課題を解決するための手段】
【００１１】
すなわち本発明は、ＲＦＩＤタグの取付け固定に結束バンドを用いること、この結束バンドのバンド本体の幅方向に沿う一対の貫通孔をＲＦＩＤタグに形成し、この貫通孔にバンド本体を当接させるようにＲＦＩＤタグを取り付け、金属製品その他の取付け製品の表面から起立可能とすることに着目したもので、第一の発明は、タグ基材と、このタグ基材に装備するとともにＩＣチップおよびＲＦＩＤアンテナを有して無線によるデータ通信が可能なＲＦＩＤインレットと、を有するＲＦＩＤタグであって、上記タグ基材は、当該ＲＦＩＤタグを取り付ける物品に当接する下端縁を有するバンド取付け領域と、上記ＲＦＩＤインレットを備えるとともに、このバンド取付け領域の上記下端縁から遠ざかる方向に離間しているインレット保持領域と、にこれを画成し、上記バンド取付け領域は、所定の幅を有するバンド本体、このバンド本体の一方端部に形成したヘッド部およびこのバンド本体の他方端部に形成したテール部を有するとともに、このテール部を上記ヘッド部の貫通係合孔に挿通係合して当該ＲＦＩＤタグを上記物品に取り付け可能な結束バンドを挿通する一対の貫通孔を有し、この一対の貫通孔は、上記タグ基材の厚さ方向の第１の貫通孔と、この第１の貫通孔に横方向に並列して異なる位置に形成した上記タグ基材の厚さ方向の第２の貫通孔と、からなるとともに、これら第１の貫通孔および第２の貫通孔それぞれの長手方向が上記バンド本体の上記幅の方向に延び、さらに上記結束バンドの上記ヘッド部より小さくこれを形成し、かつ、上記バンド取付け領域は、上記一対の貫通孔の間に位置する中央折曲がり部を境にして折れ曲がり可能であることを特徴とするＲＦＩＤタグである。
【００１２】
第二の発明は、タグ基材と、このタグ基材に装備するとともにＩＣチップおよびＲＦＩＤアンテナを有して無線によるデータ通信が可能なＲＦＩＤインレットと、を有するＲＦＩＤタグの取付け方法であって、上記タグ基材は、当該ＲＦＩＤタグを取り付ける物品に当接する下端縁を有するバンド取付け領域と、上記ＲＦＩＤインレットを備えるとともに、このバンド取付け領域の上記下端縁から遠ざかる方向に離間しているインレット保持領域と、にこれを画成してあり、上記バンド取付け領域は、所定の幅を有するバンド本体、このバンド本体の一方端部に形成したヘッド部およびこのバンド本体の他方端部に形成したテール部を有するとともに、このテール部を上記ヘッド部の貫通係合孔に挿通係合して当該ＲＦＩＤタグを上記物品に取り付け可能な結束バンドを挿通する一対の貫通孔を有し、この一対の貫通孔は、上記タグ基材の厚さ方向の第１の貫通孔と、この第１の貫通孔に横方向に並列して異なる位置に形成した上記タグ基材の厚さ方向の第２の貫通孔と、からなるとともに、これら第１の貫通孔および第２の貫通孔それぞれの長手方向を上記バンド本体の上記幅の方向に延ばし、さらに上記結束バンドの上記ヘッド部より小さくこれを形成してあり、上記結束バンドをその上記テール部から上記バンド取付け領域の上記第１の貫通孔および上記第２の貫通孔に挿通した状態で、上記バンド本体を上記物品に掛け回し、上記テール部を上記ヘッド部の上記貫通係合孔に挿通係合して、上記バンド本体により上記物品を締め付けるとともに、上記一対の貫通孔の間に位置する中央折曲がり部を境にして上記バンド取付け領域を折り曲げて、上記物品に対する上記インレット保持領域の取付け姿勢を安定化させ、上記インレット保持領域内の上記ＲＦＩＤインレットが上記物品から離反するように上記ＲＦＩＤタグを上記物品に取り付けることを特徴とするＲＦＩＤタグの取付け方法である。
【００１３】
上記バンド取付け領域と上記インレット保持領域との間に、上記バンド取付け領域および上記インレット保持領域を接続する中間接続領域を設けるとともに、この中間接続領域の両側端側には、上記バンド取付け領域と上記インレット保持領域との間に、上記バンド取付け領域と上記インレット保持領域とを互いに隔てる領域切欠き部を形成していることができる。
【００１４】
上記一対の貫通孔に挿通した上記結束バンドの上記バンド本体の上記幅の方向と、上記インレット保持領域とは、互いにほぼ直交することができる。
【００１５】
上記一対の貫通孔は、上記結束バンドの上記バンド本体を挿通した状態で上記バンド本体の上記幅の方向と上記インレット保持領域とがほぼ直交する上記インレット保持領域の取付け姿勢を実現し、この取付け姿勢を保持可能であることができる。
【００１６】
上記一対の貫通孔の長手方向と、上記バンド取付け領域の上記下端縁とは、互いに平行であることができる。
【００１７】
上記一対の貫通孔の長手方向は、上記バンド取付け領域の上記下端縁に対してこれをわずかに傾斜させて、この傾斜角度を選択することにより、上記インレット保持領域の上記物品に対する取付け姿勢を調整可能としていることができる。
【００１８】
上記一対の貫通孔の間の貫通孔間隔、および上記一対の貫通孔のそれぞれの長さを選択することにより、上記インレット保持領域の上記物品に対する取付け姿勢を調整可能としていることができる。
【発明の効果】
【００１９】
本発明によるＲＦＩＤタグおよびその取付け方法においては、タグ基材のバンド取付け領域に形成した一対の貫通孔に結束バンドのバンド本体を挿通してこの結束バンドを用いてＲＦＩＤタグを物品に取り付けることにより、タグ基材のインレット保持領域（ＲＦＩＤインレット）を物品の表面から起立した姿勢を保持可能としたので、物品が金属製の場合であっても、ＲＦＩＤインレットが物品の表面から離間した状態を安定して確実に保持可能であり、長期間にわたってデータ通信機能を維持可能で、耐環境性も良好なＲＦＩＤタグとすることができる。
【００２０】
とくに第一の発明のＲＦＩＤタグによれば、タグ基材をバンド取付け領域とインレット保持領域とに画成し、バンド取付け領域には一対の貫通孔を形成するとともにインレット保持領域にはＲＦＩＤインレットを備え、これら一対の貫通孔それぞれの長手方向を結束バンドのバンド本体の幅の方向に延ばし、バンド取付け領域は一対の貫通孔の間に位置する中央折曲がり部を境にして折れ曲がり可能としているので、一対の貫通孔にバンド本体を挿通して結束バンドを物品に締め付ければ、バンド取付け領域が「ヘ」字形に変形してタグ基材（インレット保持領域）を物品の表面からほぼ垂直に起立離間した状態に保持可能であり、ＲＦＩＤタグを物品に確固に取り付けておくことができるとともに、物品が金属製であってもデータ通信機能を維持可能である。
【００２１】
とくに第二の発明のＲＦＩＤタグの取付け方法によれば、結束バンドをそのテール部からバンド取付け領域の一対の貫通孔に挿通した状態で、バンド本体を物品に掛け回し、テール部をヘッド部の貫通係合孔に挿通係合して、バンド本体により物品を締め付けるとともに、一対の貫通孔の間に位置する中央折曲がり部を境にしてバンド取付け領域を折り曲げて、物品に対するインレット保持領域の取付け姿勢を安定化させ、インレット保持領域内のＲＦＩＤインレットが物品から離反するようにＲＦＩＤタグを物品に取り付けるので、取付け作業が確実かつ簡単でタグ基材の起立状態を安定して確実に保持することができる。
【図面の簡単な説明】
【００２２】
【図１】本発明の第１の実施例によるＲＦＩＤタグ１の平面図である。
【図２】同、図１のＩＩ−ＩＩ線断面図である。
【図３】同、図１のＩＩＩ−ＩＩＩ線断面図である。
【図４】同、結束バンド７の側面図である。
【図５】同、結束バンド７の平面図
【図６】同、結束バンド７の要部拡大断面図である。
【図７】同、結束バンド７のバンド本体１０をＲＦＩＤタグ１におけるバンド取付け領域２Ａの貫通孔８（第１の貫通孔８Ａ、第２の貫通孔８Ｂ）に挿通した状態を、バンド取付け領域２Ａが折れ曲がった形態の谷折り側（バンド取付け領域２Ａの凹部側）から見た斜視図である。
【図８】同、同挿通した状態の反対側すなわち山折り側（バンド取付け領域２Ａの凸部側）から見た斜視図である。
【図９】同、金属製品Ｍ（たとえば円柱ないしパイプ状の金属製品）にＲＦＩＤタグ１を取り付けた状態を示す説明図であって、図９（１）は、金属製品Ｍの軸線側から見た側面図、図９（２）は、金属製品Ｍの軸線の側面側から見た側面図である。
【図１０】本発明の第２の実施例によるＲＦＩＤタグ２０の平面図である。
【図１１】本発明の第３の実施例によるＲＦＩＤタグ３０の複数枚を連続してつなげた構成のＲＦＩＤタグ連続体３０Ａの平面図である。
【発明を実施するための形態】
【００２３】
本発明は、結束バンドをタグ基材の一対の貫通孔に挿通して金属製品その他の物品にＲＦＩＤタグを取り付けるようにしたので、ＲＦＩＤインレットを物品の表面からほぼ垂直に起立した状態で長期にわたって安定かつ確実に取り付けておくことができ、そのデータ通信機能を保障可能なＲＦＩＤタグおよびその取付け方法を実現した。
【実施例】
【００２４】
つぎに本発明の第１の実施例によるＲＦＩＤタグ１およびその取付け方法を図１ないし図９にもとづき説明する。
図１は、ＲＦＩＤタグ１の平面図、図２は、図１のＩＩ−ＩＩ線断面図、図３は、図１のＩＩＩ−ＩＩＩ線断面図であって、ＲＦＩＤタグ１は、タグ基材２と、ＲＦＩＤインレット３と、を有する。
【００２５】
タグ基材２は、所定の柔軟性ないし弾性、および剛性を有する、たとえば合成樹脂製のシート基材であって、その内部にＲＦＩＤインレット３を備えている。
【００２６】
ＲＦＩＤインレット３は、たとえばポリエチレンテレフタレートないしその積層フィルムなどによるインレット基材４と、ＩＣチップ５およびＲＦＩＤアンテナ６と、を有して無線によるデータ通信が可能である。
ＲＦＩＤインレット３は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ６を介してＩＣチップ５に必要なデータの無線による読み取りおよび書き込み（データ通信）を行う。
ただし、それぞれの使用電波に応じてＩＣチップ５およびＲＦＩＤアンテナ６の具体的構成を適正なものとしている。
とくにＵＨＦ帯（たとえば、８６０〜９６０ＭＨｚ）レベルの波長を有する電波を使用するものでは、その通信距離が通常は５〜１０ｍ程度であり、各種の分野における応用が期待されている。
【００２７】
タグ基材２は、バンド取付け領域２Ａと、インレット保持領域２Ｂと、バンド取付け領域２Ａおよびインレット保持領域２Ｂの間の中間接続領域２Ｃと、にこれを画成してある。
【００２８】
バンド取付け領域２Ａは、当該ＲＦＩＤタグ１を取り付ける物品（金属製品Ｍ、図９、後述）に当接する下端縁２Ｄを有するもので、ＲＦＩＤインレット３の領域を避けた位置に、結束バンド７（図４ないし図７、後述）を挿通するための一対の貫通孔８を形成してある。
一対の貫通孔８は、タグ基材２の厚さ方向に貫通して形成した、開口形状が細長矩形状（図１参照）の第１の貫通孔８Ａと、この第１の貫通孔８Ａに横方向に並列して異なる位置に形成した細長矩形状の第２の貫通孔８Ｂと、からなるとともに、これら第１の貫通孔８Ａおよび第２の貫通孔８Ｂそれぞれの長手方向がバンド本体１０の幅の方向に延びている。なお、第１の貫通孔８Ａおよび第２の貫通孔８Ｂは、上記結束バンド７のテール部１２およびバンド本体１０（図４ないし図６にもとづき後述）が挿通可能であれば、スリット状にこれを形成することもできる。
バンド取付け領域２Ａは、一対の貫通孔８の間に位置する中央折曲がり部２Ｅを境にして折れ曲がり可能である。
なお、一対の貫通孔８の長手方向と、バンド取付け領域２Ａの下端縁２Ｄとは、互いに平行である。
【００２９】
インレット保持領域２Ｂは、ＲＦＩＤインレット３を備えるとともに、バンド取付け領域２Ａの下端縁２Ｄから遠ざかる方向に離間している。
【００３０】
中間接続領域２Ｃは、バンド取付け領域２Ａとインレット保持領域２Ｂとの間に、バンド取付け領域２Ａおよびインレット保持領域２Ｂを接続するもので、この中間接続領域２Ｃの両側端側には、バンド取付け領域２Ａとインレット保持領域２Ｂとの間に、バンド取付け領域２Ａとインレット保持領域２Ｂとを互いに隔てる領域切欠き部９を形成している。
【００３１】
図２および図３に示すＲＦＩＤタグ１（タグ基材２）の断面構造は、積層工程あるいは射出成形工程あるいはこれらの組み合わせ処理など任意の手法によりこれを構成することができ、たとえば熱可塑性樹脂シートでＲＦＩＤインレット３を上下から挟み込んで平面熱プレス加工することによる積層構造によりＲＦＩＤインレット３を積層被覆し、これを堅固に保護して耐環境性を確保することができる。もちろん、単層構造のタグ基材２にＲＦＩＤインレット３を接着積層した構成であってもよい。
なお、タグ基材２を軟質材料から構成して柔軟性ないし弾性を確保可能である。
たとえば、軟質材料として、軟質塩化ビニール材その他任意のものを採用することにより、ＲＦＩＤタグ１として比較的廉価に製造可能である。
【００３２】
図４は、結束バンド７の側面図、図５は、結束バンド７の平面図、図６は、結束バンド７の要部拡大断面図で、結束バンド７としては、一般に入手可能であって、たとえばナイロンなどによりこれを構成しており、所定の長さおよび幅を有する直線ストラップ状（帯状）のバンド本体１０と、このバンド本体１０の一方端部に形成した膨出形状のヘッド部１１と、このバンド本体１０の他方端部に形成したテーパー状のテール部１２と、を有する。
【００３３】
とくに図６に示すように、ヘッド部１１には、貫通係合孔１３を形成し、貫通係合孔１３内に固定用弾性係合突起１４を形成している。
【００３４】
バンド本体１０の一方の面には、固定用弾性係合突起１４に係合して結束バンド７全体を任意の円周長さのリング状に締め付けて固定可能とするための凹凸形状の帯状係合部１５を形成してある。
また、テール部１２の一方の面には、このテール部１２をつまみやすくするための凹凸部１６を形成してある。
したがって、テール部１２をまずＲＦＩＤタグ１の第１の貫通孔８Ａさらに第２の貫通孔８Ｂに挿通するとともに、ヘッド部１１の貫通係合孔１３に挿通し、固定用弾性係合突起１４に帯状係合部１５の任意の部位を係合して、バンド本体１０を所定の円周長さのリング状とすることにより、ＲＦＩＤタグ１を物品（金属製品Ｍ、図９、後述）に取り付け可能である。
【００３５】
ただし、前記一対の貫通孔８（第１の貫通孔８Ａ、第２の貫通孔８Ｂ、図１、図３）は、結束バンド７のヘッド部１１より小さくこれを形成することが必要である。
【００３６】
こうした構成のＲＦＩＤタグ１において、結束バンド７を用いてＲＦＩＤタグ１を任意の物品（たとえば金属製品Ｍ）に取り付けることができる。
図７は、結束バンド７のバンド本体１０をＲＦＩＤタグ１におけるバンド取付け領域２Ａの貫通孔８（第１の貫通孔８Ａ、第２の貫通孔８Ｂ）に挿通した状態を、バンド取付け領域２Ａが折れ曲がった形態の谷折り側（バンド取付け領域２Ａの凹部側）から見た斜視図、図８は、同挿通した状態の反対側すなわち山折り側（バンド取付け領域２Ａの凸部側）から見た斜視図である。
【００３７】
図７および図８に示すように、結束バンド７のバンド本体１０をそのテール部１２からタグ基材２の貫通孔８（まず第１の貫通孔８Ａ、ついで第２の貫通孔８Ｂ、もちろん挿通の順序は反対でもかまわない）に挿通する。
この結束バンド７を挿通した状態において、バンド取付け領域２Ａは、タグ基材２自体が可撓性を有するため、中央折曲がり部２Ｅを中心としてわずかにバンド本体１０側に撓むように折れ曲がり、バンド取付け領域２Ａ（およびその下端縁２Ｄ）が中央折曲がり部２Ｅを頂点として、いわゆる「ヘ」の字状に折れ曲がる結果、左右一対の貫通孔８とバンド本体１０とが互いの間の摩擦抵抗によりこのバンド取付け領域２Ａの折曲がり状態が保持されている。
したがって、結束バンド７（バンド本体１０）とタグ基材２（バンド取付け領域２Ａ）とが立体的に組み合わされて、結束バンド７の表面に対してバンド取付け領域２Ａから中間接続領域２Ｃおよびインレット保持領域２Ｂがほぼ直立状態に起立した態勢に維持されることになる。
換言すれば、一対の貫通孔８（第１の貫通孔８Ａ、第２の貫通孔８Ｂ）に挿通した結束バンド７のバンド本体１０の幅の方向とインレット保持領域２Ｂとは、互いにほぼ直交することとなり、一対の貫通孔８は、結束バンド７のバンド本体１０を挿通した状態でバンド本体１０の幅の方向とインレット保持領域２Ｂとが直交するインレット保持領域２Ｂの取付け姿勢を実現し、この取付け姿勢を保持可能である。
【００３８】
ただし、バンド取付け領域２Ａとインレット保持領域２Ｂとの間には、中間接続領域２Ｃおよび領域切欠き部９があるので、バンド取付け領域２Ａの上述のような変形はインレット保持領域２Ｂの形状にはあまり影響することなく、インレット保持領域２Ｂ内のＲＦＩＤインレット３への変形による影響はきわめて小さい。
【００３９】
このバンド取付け領域２Ａの折曲がり状態によるインレット保持領域２Ｂの起立保持状態のまま、すなわち、結束バンド７をそのテール部１２からバンド取付け領域２Ａの第１の貫通孔８Ａおよび第２の貫通孔８Ｂに挿通した状態で、バンド本体１０を金属製品Ｍに掛け回し、テール部１２をヘッド部１１の貫通係合孔１３に挿通係合して、バンド本体１０により金属製品Ｍを締め付ける。
この締付け状態において、一対の貫通孔８の間に位置する中央折曲がり部２Ｅを境にしてバンド取付け領域２Ａを最終形態に折り曲げて、金属製品Ｍに対するインレット保持領域２Ｂの取付け姿勢を安定化させ、インレット保持領域２Ｂ内のＲＦＩＤインレット３が金属製品Ｍから直立起立して離反するようにＲＦＩＤタグ１を金属製品Ｍに取り付けることができる。
【００４０】
図９は、金属製品Ｍ（たとえば円柱ないしパイプ状の金属製品）にＲＦＩＤタグ１を取り付けた状態を示す説明図であって、図９（１）は、金属製品Ｍの軸線側から見た側面図、図９（２）は、金属製品Ｍの軸線の側面側から見た側面図である。
図９（１）に示すように、バンド取付け領域２ＡによりＲＦＩＤタグ１は、そのＲＦＩＤインレット３を金属製品Ｍの表面から離間した状態で、しかも、バンド本体１０を一対の貫通孔８に挿通したバンド取付け領域２Ａを必要に応じてバンド本体１０上において移動させることにより、金属製品Ｍの円周上における任意の位置に取り付けておくことができる。
さらに図９（２）に示すように、バンド取付け領域２ＡによりＲＦＩＤタグ１およびそのＲＦＩＤインレット３は、金属製品Ｍの円周上にほぼ垂直状態で（すなわち、一番遠い部位に）これを取り付けておくことができる。
【００４１】
かくして、インレット保持領域２Ｂ内にあるＲＦＩＤインレット３が金属製品Ｍから離反するように、ＲＦＩＤタグ１を金属製品Ｍに取り付けることができ、ＲＦＩＤインレット３が金属製品Ｍから離間した状態を保つため、必要なデータ通信機能を維持可能である。
【００４２】
本発明においては、タグ基材２の形状はもちろん、一対の貫通孔８のそれぞれの形状や向き、および位置や数は、ＲＦＩＤインレット３のＲＦＩＤアンテナ６の大きさないし広さ、金属製品Ｍの形状や大きさ、結束バンド７の種類などに応じて任意に設計可能である。
たとえば図１０は、本発明の第２の実施例によるＲＦＩＤタグ２０の平面図であって、ＲＦＩＤタグ２０における一対の貫通孔８（第１の貫通孔８Ａ、第２の貫通孔８Ｂ）のそれぞれの長手方向は、バンド取付け領域２Ａの下端縁２Ｄに対してこれをわずかに傾斜させて、この傾斜角度αを任意に選択することにより、インレット保持領域２Ｂの金属製品Ｍに対する取付け姿勢（仰角）を調整可能としている。
他の構成については、既述のＲＦＩＤタグ１（第１の実施例、図１）と事実上同一である。
【００４３】
こうした構成のＲＦＩＤタグ２０においても、それぞれの貫通孔８に結束バンド７を挿通係合することができ、必要な金属製品Ｍに安定して確実に取り付けるとともに、インレット保持領域２Ｂ（ＲＦＩＤインレット３）を金属製品Ｍから離反した状態で、望ましくは直角な取付け姿勢に起立させておくことができる。
【００４４】
さらに本発明においては、一対の貫通孔８の間の貫通孔間隔、および一対の貫通孔８のそれぞれの長さを選択することにより、インレット保持領域２Ｂの金属製品Ｍに対する取付け姿勢を調整可能とすることもできる。また、中央折曲がり部２Ｅに沿って切込みを設けたり、ミシン目を形成してバンド取付け領域２Ａの折曲がりの度合いを可変とし、取付け姿勢を調整してもよい。
【００４５】
図１１は、本発明の第３の実施例によるＲＦＩＤタグ３０の複数枚を連続してつなげた構成のＲＦＩＤタグ連続体３０Ａの平面図であり、ＲＦＩＤタグ３０自体は、上述のＲＦＩＤタグ１（第１の実施例、図１）あるいはＲＦＩＤタグ２０（第２の実施例、図１０）と同様の構成とすることができ、ＲＦＩＤタグ連続体３０Ａは、ＲＦＩＤタグ３０の外縁部を支持する枠状の支持ガイド部３１の間を切断用ミシン目３２により接続し、必要に応じて手動あるいは自動的に切断可能としてある。
【００４６】
さらに、ＲＦＩＤタグ３０においては、支持ガイド部３１との間において何箇所かの所定部位に、もろい接続部３３を形成し、支持ガイド部３１からＲＦＩＤタグ３０が脱落しないようにしているとともに、使用時に支持ガイド部３１からＲＦＩＤタグ３０を分離可能としている。
【００４７】
なお、隣り合う支持ガイド部３１どうしの間に検出用切欠き部３４を形成しておくことにより、任意の方式のプリンター（たとえば熱転写プリンターやサーマルプリンター、図示せず）に装填した際のＲＦＩＤタグ３０の相対的位置を検出可能とする。
【００４８】
こうした構成のＲＦＩＤタグ３０（ＲＦＩＤタグ連続体３０Ａ）において、ＲＦＩＤタグ連続体３０Ａを上記必要なプリンターに装填し、情報をエンコードし、必要な可変情報をＲＦＩＤタグ３０に印字することができ、ＲＦＩＤインレット３により保持管理される電子データとともに、視認可能な可変情報を表示しておくことができ、既述のように結束バンド７を用いて金属製品Ｍにほぼ垂直起立状態でＲＦＩＤタグ３０を取り付けて、データ通信機能を果たすことができる。
もちろん、ＲＦＩＤタグ連続体３０Ａをあらかじめ切断用ミシン目３２の部分で切り離し、支持ガイド部３１により囲まれたＲＦＩＤタグ３０を一枚ずつプリンターにセットして、情報をエンコードするとともに文字を印字してもよい。
【符号の説明】
【００４９】
１  ＲＦＩＤタグ（第１の実施例、図１）
２  タグ基材
２Ａ  タグ基材２のバンド取付け領域
２Ｂ  タグ基材２のインレット保持領域
２Ｃ  タグ基材２の中間接続領域
２Ｄ  バンド取付け領域２Ａの下端縁
２Ｅ  バンド取付け領域２Ａの中央折曲がり部
３  ＲＦＩＤインレット
４  インレット基材
５  ＩＣチップ
６  ＲＦＩＤアンテナ
７  結束バンド（図５、図６）
８  貫通孔
８Ａ  貫通孔８の第１の貫通孔
８Ｂ  貫通孔８の第２の貫通孔
９  バンド取付け領域２Ａとインレット保持領域２Ｂとの間の領域切欠き部
１０  結束バンド７のバンド本体
１１  結束バンド７のヘッド部
１２  結束バンド７のテール部
１３  貫通係合孔
１４  固定用弾性係合突起
１５  帯状係合部
１６  凹凸部
２０  ＲＦＩＤタグ（第２の実施例、図１０）
３０  ＲＦＩＤタグ（第３の実施例、図１１）
３０Ａ  ＲＦＩＤタグ連続体（図１１）
３１  支持ガイド部
３２  切断用ミシン目
３３  もろい接続部
３４  検出用切欠き部
Ｍ    金属製品（物品、図９）
α    一対の貫通孔８の長手方向のバンド取付け領域２Ａの下端縁２Ｄに対する傾斜角度（図１０）
【図１】
0005868759.tif 000002
【図２】
0005868759.tif 000003
【図３】
0005868759.tif 000004
【図４】
0005868759.tif 000005
【図５】
0005868759.tif 000006
【図６】
0005868759.tif 000007
【図７】
0005868759.tif 000008
【図８】
0005868759.tif 000009
【図９】
0005868759.tif 000010
【図１０】
0005868759.tif 000011
【図１１】
0005868759.tif 000012